(57)【要約】      （修正有）【課題】手を使わずにコップに唇を押しつけることによりコップを自在に傾け、コップに入った飲料を飲むことができる小型飲料容器支持装置を提供する。【解決手段】台座２と、コップ１００を保持するコップ保持部３１と、台座２に固定され、コップ保持部３１を、コップ１００の開口部１０２の角度が変化するように回動可能に保持するコップ支持回転部３２と、台座２に固定され、コップの周方向であってコップ保持部３１よりも外側に配設されるコップ回転角規制部３３と、を備え、コップ回転角規制部３３は、コップ保持部３１の回転範囲のうち一方側においてコップ保持部３１よりも上方に配設され、コップ保持部３１の回転軸を挟んだ他方側においてコップ保持部３１よりも下方に配設されていてもよい。【選択図】図１
0003225548.tif 000002
【実用新案登録請求の範囲】
【請求項１】
台座と、
コップを保持するコップ保持部と、
前記台座に固定され、前記コップ保持部を、前記コップの開口部の角度が変化するように回動可能に保持するコップ支持回転部と、
前記台座に固定され、前記コップの周方向であって前記コップ保持部よりも外側に配設されるコップ回転角規制部と、
を備える、
小型飲料容器支持装置。
【請求項２】
前記コップ回転角規制部は、前記コップ保持部の回転範囲のうち一方側において前記コップ保持部よりも上方に配設され、前記コップ保持部の回転軸を挟んだ他方側において前記コップ保持部よりも下方に配設されている、
請求項１記載の小型飲料容器支持装置。
【請求項３】
前記台座は、テーブル-テーブルに載置される架台部と、前記架台部に一端部が連結され前記架台部から斜め上方に伸び出るアーム部と、を有し、前記アーム部の他端部に前記コップ支持回転部が連結されている、
請求項１又は２記載の小型飲料容器支持装置。
【請求項４】
前記架台部は、テーブルテーブルに載置される基部と、前記アーム部に連結される連結部と、を有し、前記連結部は前記基部に対して回動可能に連結されている、
請求項３記載の小型飲料容器支持装置。
【請求項５】
前記連結部には、前記アーム部の長さ方向に沿う長孔が穿設されていて、前記架台部と前記アーム部とは、前記長孔を貫通する締結部材により連結されている、
請求項４記載の小型飲料容器支持装置。
【考案の詳細な説明】
【技術分野】
【０００１】
本考案は、小型飲料容器支持装置に関する。
【背景技術】
【０００２】
特許文献１には、さまざまなコップに適用できる調整可能なコップ立てが開示されている。
【先行技術文献】
【特許文献】
【０００３】
【特許文献１】特表２００７−５０６４４７号公報
【考案の概要】
【考案が解決しようとする課題】
【０００４】
ＡＬＳ（筋萎縮性側索硬化症）などの症状により手の動作が不自由であっても、自らの残存機能を利用してコップを自在に傾け、コップに入った飲料をすすりながら味わいたい、というニーズがある。
【０００５】
特許文献１記載のコップ立ては、コップの角度を変えることができないため、手を使わずにコップ内の液体を飲むことはできない。
【０００６】
本考案は、手を使わずにコップに唇を押しつけることによりコップを自在に傾け、コップに入った飲料を飲むことができる小型飲料容器支持装置を提供することを目的の１つとする。
【課題を解決するための手段】
【０００７】
上記目的を達成するため、本考案の一の観点に係る小型飲料容器支持装置は、台座と、コップを保持するコップ保持部と、前記台座に固定され、前記コップ保持部を、前記コップの開口部の角度が変化するように回動可能に保持するコップ支持回転部と、前記台座に固定され、前記コップの周方向であって前記コップ保持部よりも外側に配設されるコップ回転角規制部と、を備える。なお、本発明のコップは開口部を有するペットボトル・缶容器全般を集合的に含むが、飲用に供するものであれば、それらには限定されない。
【０００８】
前記コップ回転角規制部は、前記コップ保持部の回転範囲のうち一方側において前記コップ保持部よりも上方に配設され、前記コップ保持部の回転軸を挟んだ他方側において前記コップ保持部よりも下方に配設されていてもよい。
【０００９】
前記台座は、テーブルに載置される架台部と、前記架台部に一端部が連結され前記架台部から斜め上方に伸び出るアーム部と、を有し、前記アーム部の他端部に前記コップ支持回転部が連結されていてもよい。
【００１０】
前記架台部は、テーブルに載置される基部と、前記アーム部に連結される連結部と、を有し、前記連結部は前記基部に対して回動可能に連結されていてもよい。
【００１１】
前記連結部には、前記アーム部の長さ方向に沿う長孔が穿設されていて、前記架台部と前記アーム部とは、前記長孔を貫通する締結部材により連結されていてもよい。
【考案の効果】
【００１２】
本考案によれば、手を使わずにコップを自在に傾け、コップに入った飲料を飲むことができる。
【図面の簡単な説明】
【００１３】
【図１】本考案にかかる小型飲料容器支持装置の実施の形態を示す、左側面側から見た概略斜視図である。
【図２】上記小型飲料容器支持装置が有する台座の様子を示す、左側面側から見た拡大斜視図である。
【図３】上記小型飲料容器支持装置が有するコップ保持部およびコップ支持回転部の様子を示す、左上方から見た拡大斜視図である。
【図４】上記コップ保持部および上記コップ支持回転部の様子であって、上記コップ保持部がコップを保持している様子を示す、左側面側から見た拡大斜視図である。
【図５】上記コップ保持部および上記コップ支持回転部の、正面側から見た拡大斜視図である。
【図６】利用者が上記小型飲料容器支持装置を使用している様子を示す模式図であって、（ａ）上記利用者が上記コップに口をつけた状態を示す図、（ｂ）上記利用者が上記コップを口ではさんで、下唇をコップに軽く押し当てている様子を示す図、（ｃ）上記利用者が顔を前方に押し出し、上記コップが回転する様子を示す図である。
【考案を実施するための形態】
【００１４】
以下、本考案にかかる小型飲料容器支持装置の実施の形態について、図面を参照しながら説明する。小型飲料容器支持装置は、飲料の入ったコップを所定の角度範囲で回動可能に支持する自助装置である。なお、本発明のコップは小型飲料容器の例であり、開口部を有するペットボトル・缶容器全般を集合的に含むが、飲用に供するものであれば、それらには限定されない。
【００１５】
図１に示すように、小型飲料容器支持装置１は、主として、台座２およびコップ支持部３を有する。
【００１６】
図１および図２に示すように、台座２は、コップ支持部３およびコップ１００を支え、例えばテーブル２００上に載置される部材である。台座２は、主として、架台部２１およびアーム部２２により構成されている。なお、以降の説明においてアーム部２２が伸び出る方向を正面とする。また、正面側を前方、背面側を後方ということがある。
【００１７】
架台部２１は、テーブル２００に載置される基部２１ａと、アーム部２２が取り付けられる連結部２１ｂと、を有する。基部２１ａは、略平板状の板２１１ａの上面の一部から四角錐台２１２ａが斜め前方に向かって伸び出たような形状の部材である。板２１１ａの底面が、テーブル２００に載置される。四角錐台２１２ａの上部の１端には、円筒形の窪み２１３ａが設けられていて、連結部２１ｂの円柱部２１１ｂが篏合するようになっている。
【００１８】
連結部２１ｂは、基部２１ａとアーム部２２とを連結する部材である。連結部２１ｂは、円柱部２１１ｂと、円柱部２１１ｂの外周面の一部に連続して設けられる、アーム部２２の取付部２１２ｂとを有する。円柱部２１１ｂは、窪み２１３ａに嵌まり込み、窪み２１３ａに対して回動する。すなわち、連結部２１ｂは、基部２１ａに対して所定範囲において回動可能に連結され、連結部２１ｂの回動に応じて取付部２１２ｂの角度が変化するようになっている。また、基部２１ａと連結部２１ｂとは、任意の角度で保持される。この構成によれば、基部２１ａに対するアーム部２２の角度を調整可能である。
【００１９】
取付部２１２ｂは、当該所定範囲において板２１１ａに対して斜めに配設されている平板状の部材である。取付部２１２ｂの一方の面は円柱部２１１ｂに接続され、他方の面は、取付金具５１、５１を介してアーム部２２が固定される。具体的には、取付部２１２ｂの当該他方の面にはＬ字型の取付金具５１、５１の一辺側が固定され、取付金具５１、５１の他辺側がアーム部２２の第１端側に固定されている。取付金具５１、５１の当該他辺側には、アーム部２２の長さ方向に沿う１対の長孔（図示省略）が、アーム部２２の幅方向に並んで穿設されていて、取付金具５１、５１とアーム部２２とは、当該１対の長孔およびアーム部２２の貫通孔２２ａ、２２ａ（図２参照）を貫通する締結部材５２、５２により連結されている。
【００２０】
アーム部２２は、取付部２１２ｂに連結され、架台部２１の基部２１ａに対して斜め上前方に伸び出ている細長い平板状の部材である。アーム部２２は、本実施形態においては木材で構成されているが、別の素材であってもよい。アーム部２２の第１端側、すなわち後方側には貫通孔２２ａ、２２ａが幅方向に並んで穿設され、締結部材５２、５２が挿通されている。締結部材５２、５２は、本実施形態においてはボルトおよび蝶ねじである。
【００２１】
図１および図３に示すように、コップ支持部３は、アーム部２２の第２端側、すなわち前方側に連結され、コップ１００を回動可能に保持する部材である。コップ支持部３は、コップ保持部３１と、コップ支持回転部３２と、により構成されている。
【００２２】
コップ保持部３１は、コップ１００を保持する円環状の部材である。コップ保持部３１は、本実施形態においては金属で構成されており、例えば針金を曲げて作製されているが、異なる材料により形成されていてもよい。コップ保持部３１は、コップ１００の軸方向略中央部分に対応する内径を有し、コップ保持部３１の斜め上方からコップ１００の底１０１を挿入することで、コップ１００が開口部１０２を上向きにして保持されるようになっている。
【００２３】
コップ保持部３１には、略円環の半径方向外側に向かって突出する突出部３１ａ、３１ａが、互いに対蹠位置に形成されている。突出部３１ａ、３１ａは、コップ支持回転部３２が有する後述する支持部３２ａ、３２ａにそれぞれ挿通され、支持部３２ａ、３２ａに対して回動可能である。すなわち、コップ保持部３１は、突出部３１ａ、３１ａおよび支持部３２ａ、３２ａの接触部分を支点にして、コップ１００の開口部１０２の角度が変化するように回動する。
【００２４】
図３乃至図５に示すように、コップ支持回転部３２は、コップ保持部３１を回動可能に保持する部材である。コップ支持回転部３２は、本実施形態においては金属で構成されており、例えば針金を曲げて作製されているが、異なる材料により形成されていてもよい。
【００２５】
コップ支持回転部３２は、主として、支持部３２ａ、３２ａと、コップ回転角規制部３３と、連結部３４と、により構成されている。
【００２６】
支持部３２ａ、３２ａは、コップ保持部３１の左右側方に形成される略円環状の部分である。支持部３２ａ、３２ａは、突出部３１ａ、３１ａがそれぞれ内側から外側に向かって挿入されていて、コップ保持部３１を回動可能に支持している。
【００２７】
コップ回転角規制部３３は、コップ保持部３１に篏合するコップ１００の回転角度を規制する円環状の部材である。コップ回転角規制部３３は、コップ１００の周方向であってコップ保持部３１よりも外側に配設される。コップ回転角規制部３３の正面側と背面側とは、支持部３２ａ、３２ａを介して連結されている。本実施形態では、コップ回転角規制部３３は１本の針金を曲げて作成されており、針金を左右でそれぞれ１巻きすることで支持部３２ａ、３２ａを形成している。
【００２８】
コップ回転角規制部３３は、コップ保持部３１の回転範囲のうち背面側においてコップ保持部３１よりも上方に配設され、コップ保持部３１の回転軸を挟んだ正面側においてコップ保持部３１よりも下方に配設されている。コップ回転角規制部３３によれば、コップ１００の回転角度を、開口部１０２が斜め上前方に向く所定範囲に規制する。この構成により、開口部１０２が真上を向いたり、後方を向いてしまうことがなく、利用者が開口部１０２に口を付けることができる。また、使用時においてコップ１００に回転方向の勢いがついてしまっても、コップ回転角規制部３３により回転が規制され、コップ１００の中身がこぼれることがない。
【００２９】
連結部３４は、棒状体３４ａと長円環体３４ｂとが組み合わされたような形状の部材である。棒状体３４ａは、コップ支持回転部３２の一部に連結されている。当該連結部分は、本実施形態においてはコップ支持回転部３２の右側面側の支持部３２ａの下端である。長円環体３４ｂは、その内部にアーム部２２の第２端が挿通され、、固定ビス５３、５３に巻き付くようにして支持されている。これにより図４でコップ１００を水平左向きに押すことにより、コップ支持回転部３は、固定ビス５３、５３を支点として反時計方向に回転させることが可能になっている。したがって、利用者がコップ１００を軽くくわえて、水平左向きに押し出すと、コップ１００はコップ支持部３２aを支点に下方に傾くとともに、固定ビス５３を支点に反時計に動くため、液体がスムーズに口の中に流入することになる。
【００３０】
図６を用いて、利用者Ｒがコップ１００内の飲料を飲む際の、小型飲料容器支持装置１の様子を説明する。飲料は、ジュース、水、熱いコーヒー、茶、味噌汁、シチュー、スープ、ビールおよび酒等が想定される。すなわち、飲料は熱いものであっても冷たいものであってもよい。飲料の量は、例えばコップの半分の高さまでが望ましい。
【００３１】
図６（ａ）に示すように、利用者Ｒは、小型飲料容器支持装置１の正面側に着座する。このとき、介助者は、架台部２１における基部２１ａおよび連結部２１ｂの角度を変化させることで、アーム部２２を回動させ、コップ１００の位置を上下に調整する。また、介助者は、連結部２１ｂに対してアーム部２２を摺動させることで、コップ１００の位置を前後に調整する。さらに、介助者は、テーブル２００上の小型飲料容器支持装置１自体の位置を調整してもよい。このようにして、介助者は、コップ１００が利用者Ｒの口元に近づくように小型飲料容器支持装置１の位置および形状を調整する。
【００３２】
図６（ｂ）に示すように、利用者Ｒは、下唇をコップ１００の開口部１０２に軽く押し当てる。このとき、コップ１００は、コップ保持部３１と共に、やや正面側に傾く。
【００３３】
図６（ｃ）に示すように、利用者Ｒが下唇を開口部１０２に押し当てた状態で、顔を前方に押し出すと、コップ１００が支点を中心に回転し、コップ１００内の飲料が利用者Ｒの口の中に注がれる。すなわち、小型飲料容器支持装置１は、利用者Ｒが顔を前方に出す動きを、コップ１００を傾ける動きに変換する。その結果、利用者Ｒは、手を使わなくても、望む量だけコップ１００を傾け、コップ１００内の飲料を口に入れることができる。例えば、冷たい飲料であれば、心いくまで口に含み、ごっくんと飲むことができるし、温かい飲料であれば、唇ですするように、冷ましながら少量ずつ飲むことができる。
【００３４】
なお、本実施形態においてはコップの飲料を飲むものとしたが、本考案は、コップに代えて、ペットボトル等適宜の飲料容器に適用可能である。
【００３５】
このように、本考案によれば、手を使わずにコップを自在に傾け、コップに入った飲料を飲むことができる。
【００３６】
１          小型飲料容器支持装置
２          台座
２１      架台部
２２      アーム部
３          コップ支持部
３１      コップ保持部
３２      コップ支持回転部
３３      コップ回転角規制部
３４      連結部
【図１】
0003225548.tif 000003
【図２】
0003225548.tif 000004
【図３】
0003225548.tif 000005
【図４】
0003225548.tif 000006
【図５】
0003225548.tif 000007
【図６】
0003225548.tif 000008
【手続補正書】
【提出日】令和1年9月5日(2019.9.5)
【手続補正１】
【補正対象書類名】実用新案登録請求の範囲
【補正対象項目名】全文
【補正方法】変更
【補正の内容】
【実用新案登録請求の範囲】
【請求項１】
台座と、
コップを保持するコップ保持部と、
前記台座に固定され、前記コップ保持部を、前記コップの開口部の角度が変化するように回動可能に保持するコップ支持回転部と、
前記台座に固定され、前記コップの周方向であって前記コップ保持部よりも外側に配設されるコップ回転角規制部と、
を備える、
小型飲料容器支持装置。
【請求項２】
前記コップ回転角規制部は、前記コップ保持部の回転範囲のうち一方側において前記コップ保持部よりも上方に配設され、前記コップ保持部の回転軸を挟んだ他方側において前記コップ保持部よりも下方に配設されている、
請求項１記載の小型飲料容器支持装置。
【請求項３】
前記台座は、テーブルに載置される架台部と、前記架台部に一端部が連結され前記架台部から斜め上方に伸び出るアーム部と、を有し、前記アーム部の他端部に前記コップ支持回転部が連結されている、
請求項１又は２記載の小型飲料容器支持装置。
【請求項４】
前記架台部は、テーブルに載置される基部と、前記アーム部に連結される連結部と、を有し、前記連結部は前記基部に対して回動可能に連結されている、
請求項３記載の小型飲料容器支持装置。
【請求項５】
前記連結部には、前記アーム部の長さ方向に沿う長孔が穿設されていて、前記架台部と前記アーム部とは、前記長孔を貫通する締結部材により連結されている、
請求項４記載の小型飲料容器支持装置。